【手続補正書】
【提出日】平成23年10月20日(2011.10.20)
【手続補正１】
【補正対象書類名】特許請求の範囲
【補正対象項目名】全文
【補正方法】変更
【補正の内容】
【特許請求の範囲】
【請求項１】
メディアプレゼンテーションのパッケージへのサブスクリプションを管理する方法であって、
メディアプレゼンテーションのパッケージに関連するパッケージ情報を提供することと、
前記パッケージの状態が、オープンパッケージを新規のサブスクライバおよび既存のサブスクライバに利用可能にするオープン状態であるか、又はクローズドパッケージを既存のサブスクライバにのみ利用可能にするクローズ状態であるかを示すパッケージサブスクリプション特徴を提供することと、
前記パッケージ情報および前記パッケージサブスクリプション特徴を前記デバイスに送信することと、を有する方法。
【請求項２】
前記メディアプレゼンテーションのパッケージを前記デバイスに提示するパーミッションを提供することと、
前記パッケージを前記デバイスへ提示するための前記許可を前記パッケージ情報および前記パッケージサブスクリプション特徴と共に送信することと
をさらに有する請求項１記載の方法。
【請求項３】
前記パッケージサブスクリプション特徴が、前記パッケージの状態が前記クローズド状態であることを示す場合に、前記デバイスに記憶された情報が前記メディアプレゼンテーションのパッケージを提示するための前記許可に対応するときは、前記パッケージの前記メディアプレゼンテーションが前記デバイスにのみ提示される請求項２記載の方法。
【請求項４】
前記パッケージサブスクリプション特徴が、前記パッケージの状態が前記オープン状態であることを示す場合に、前記デバイスに記憶された前記情報が前記メディアプレゼンテーションのパッケージを提示するための前記許可に対応するとき、または前記デバイスが前記メディアプレゼンテーションのパッケージへのサブスクリプションのリクエスト、および受信するときに、前記パッケージの前記メディアプレゼンテーションが前記デバイスに提示される請求項３記載の方法。
【請求項５】
メディアプレゼンテーションのパッケージに関連するパッケージ情報を提供し、
前記パッケージの状態が、オープンパッケージは新規のサブスクライバおよび既存のサブスクライバに利用可能であるオープン状態であるか、又はクローズドパッケージを既存のサブスクライバにのみ利用可能にするクローズ状態であるかを示すパッケージサブスクリプション特徴を提供し、
前記パッケージ情報および前記パッケージサブスクリプション特徴を前記デバイスに送信する動作を実行するように構成されている少なくとも１つのプロセッサ。
【請求項６】
前記メディアプレゼンテーションのパッケージを前記デバイスに提示するパーミッションを提供し、
前記パッケージを前記デバイスへ提示するための前記許可を前記パッケージ情報および前記パッケージサブスクリプション特徴と共に送信する動作をさらに実行する請求項５記載の少なくとも１つのプロセッサ。
【請求項７】
前記パッケージサブスクリプション特徴が、前記パッケージの状態が前記クローズド状態であることを示す場合に、前記デバイスに記憶された情報が前記メディアプレゼンテーションのパッケージを提示するための前記許可に対応するときは、前記パッケージの前記メディアプレゼンテーションが前記デバイスにのみ提示される請求項６記載の少なくとも１つのプロセッサ。
【請求項８】
前記パッケージサブスクリプション特徴が、前記パッケージの状態が前記オープン状態であることを示す場合に、前記デバイスに記憶された前記情報が前記メディアプレゼンテーションのパッケージを提示するための前記許可に対応するとき、または前記デバイスが前記メディアプレゼンテーションのパッケージへのサブスクリプションをリクエストし、受信するときに、前記パッケージの前記メディアプレゼンテーションが前記デバイスに提示される請求項７記載の少なくとも１つのプロセッサ。
【請求項９】
メディアプレゼンテーションのパッケージに関連するパッケージ情報を提供し、
前記パッケージの状態が、オープンパッケージを新規のサブスクライバおよび既存のサブスクライバに利用可能にするオープン状態であるか、又はクローズドパッケージを既存のサブスクライバにのみ利用可能にするクローズ状態であるかを示すパッケージサブスクリプション特徴を提供し、
前記パッケージ情報および前記パッケージサブスクリプション特徴を前記デバイスに送信する処理をコンピュータに実行させるプログラム。
【請求項１０】
前記メディアプレゼンテーションのパッケージを前記デバイスに提示するパーミッションを提供し、
前記パッケージを前記デバイスへ提示するための前記許可を前記パッケージ情報および前記パッケージサブスクリプション特徴と共に送信する処理をさらにコンピュータに実行させる請求項９記載のプログラム。
【請求項１１】
前記パッケージサブスクリプション特徴が、前記パッケージの状態が前記クローズド状態であることを示す場合に、前記デバイスに記憶された情報が前記メディアプレゼンテーションのパッケージを提示するための前記許可に対応するときは、前記パッケージの前記メディアプレゼンテーションが前記デバイスにのみ提示される請求項１０記載のプログラム。
【請求項１２】
前記パッケージサブスクリプション特徴が、前記パッケージの状態が前記オープン状態であることを示す場合に、前記デバイスに記憶された前記情報が前記メディアプレゼンテーションのパッケージを提示するための前記許可に対応するとき、または前記デバイスが前記メディアプレゼンテーションのパッケージへのサブスクリプションのリクエスト、および受信するときに、前記パッケージの前記メディアプレゼンテーションが前記デバイスに提示される請求項１１記載のプログラム。
【請求項１３】
メディアプレゼンテーションのパッケージへのサブスクリプションを管理するための装置であって、
メディアプレゼンテーションのパッケージに関連するパッケージ情報を提供する手段と、
前記パッケージの状態が、オープンパッケージを新規のサブスクライバおよび既存のサブスクライバに利用可能にするオープン状態であるか、又はクローズドパッケージを既存のサブスクライバにのみ利用可能にするクローズ状態であるかを示すパッケージサブスクリプション特徴を提供する手段と、
前記パッケージ情報および前記パッケージサブスクリプション特徴を前記デバイスに送信する手段を備える装置。
【請求項１４】
前記メディアプレゼンテーションのパッケージを前記デバイスに提示するパーミッションを提供する手段と、
前記パッケージを前記デバイスへ提示するための前記許可を前記パッケージ情報および前記パッケージサブスクリプション特徴と共に送信手段をさらに備える請求項１３記載の装置。
【請求項１５】
前記パッケージサブスクリプション特徴が、前記パッケージの状態が前記クローズド状態であることを示す場合に、前記デバイスに記憶された情報が前記メディアプレゼンテーションのパッケージを提示するための前記許可に対応するときは、前記パッケージの前記メディアプレゼンテーションが前記デバイスにのみ提示される請求項１４記載の装置。
【請求項１６】
前記パッケージサブスクリプション特徴が、前記パッケージの状態が前記オープン状態であることを示す場合に、前記デバイスに記憶された前記情報が前記メディアプレゼンテーションのパッケージを提示するための前記許可に対応するとき、または前記デバイスが前記メディアプレゼンテーションのパッケージへのサブスクリプションのリクエスト、および受信するときに、前記パッケージの前記メディアプレゼンテーションが前記デバイスに提示される請求項１５記載の装置。
【請求項１７】
メディアプレゼンテーションのパッケージにアクセスするための方法であって、
デバイスによって、メディアプレゼンテーションチャネルのパッケージのパッケージ情報を受信することと、
前記パッケージの状態が、オープンパッケージを新規のサブスクライバおよび既存のサブスクライバに利用可能にするオープン状態であるか、又はクローズドパッケージを既存のサブスクライバにのみ利用可能にするクローズ状態であるかを示すパッケージサブスクリプション特徴を受信することと、
前記パッケージサブスクリプション特徴が、前記パッケージの状態が前記オープン状態であることを示す場合にのみ、前記メディアプレゼンテーションチャネルのパッケージにサブスクライブする要求を許可することを有する方法。
【請求項１８】
前記メディアプレゼンテーションチャネルのパッケージを前記デバイスに提示するパーミッションを受信することをさらに有し、前記メディアプレゼンテーションチャネルのパッケージを提示するパーミッションは、前記パッケージサブスクリプション特徴と異なるものとする請求項１７記載の方法。
【請求項１９】
前記パッケージサブスクリプション特徴が、前記パッケージの状態が前記クローズド状態であることを示す場合に、
前記デバイスに記憶された情報が前記メディアプレゼンテーションチャネルのパッケージを提示するパーミッションに対応する場合にのみ前記メディアプレゼンテーションチャネルを前記デバイスに提示することをさらに有する請求項１８記載の方法。
【請求項２０】
前記パッケージサブスクリプション特徴が、前記パッケージの状態が前記オープン状態であることを示す場合に、
前記デバイスに記憶された情報が前記メディアプレゼンテーションチャネルのパッケージを提示するパーミッションに対応する場合に、前記パケットの前記メディアプレゼンテーションチャネルを前記デバイスに提示することと
前記デバイスが前記メディアプレゼンテーションのパッケージへのサブスクリプションを要求する又は受信する場合に、前記パッケージの前記メディアプレゼンテーションチャネルを前記デバイスに提示することをさらに有する請求項１９記載の方法。
【請求項２１】
前記パッケージの前記メディアプレゼンテーションチャネルを前記デバイスに提示することは、前記デバイスに前記パッケージの前記メディアプレゼンテーションチャネルの１つを表示することを含む請求項２０記載の方法。
【請求項２２】
メディアプレゼンテーションチャネルのパッケージのパッケージ情報を受信し、
前記パッケージの状態が、オープンパッケージを新規のサブスクライバおよび既存のサブスクライバに利用可能にするオープン状態であるか、又はクローズドパッケージを既存のサブスクライバにのみ利用可能にするクローズ状態であるかを示すパッケージサブスクリプション特徴を受信し、
前記パッケージサブスクリプション特徴が、前記パッケージの状態が前記オープン状態であることを示す場合にのみ、前記メディアプレゼンテーションチャネルのパッケージにサブスクライブする要求を許可する動作を実行するように構成されている少なくとも１つのプロセッサ。
【請求項２３】
前記メディアプレゼンテーションチャネルのパッケージを提示するパーミッションを受信することをさらに実行し、前記メディアプレゼンテーションチャネルのパッケージを提示するパーミッションは、前記パッケージサブスクリプション特徴と異なるものとする請求項２２記載の少なくとも１つのプロセッサ。
【請求項２４】
前記パッケージサブスクリプション特徴が、前記パッケージの状態が前記クローズド状態であることを示す場合に、
メモリに記憶された情報が前記メディアプレゼンテーションチャネルのパッケージを提示するパーミッションに対応する場合にのみ前記メディアプレゼンテーションチャネルを前記デバイスに提示することをさらに実行する請求項２３記載の少なくとも１つのプロセッサ。
【請求項２５】
前記パッケージサブスクリプション特徴が、前記パッケージの状態が前記オープン状態であることを示す場合に、
前記メモリに記憶された情報が前記メディアプレゼンテーションチャネルのパッケージを提示するパーミッションに対応する場合に、前記パケットの前記メディアプレゼンテーションチャネルを前記デバイスに提示し、
前記デバイスが前記メディアプレゼンテーションのパッケージへのサブスクリプションを要求する又は受信する場合に、前記パッケージの前記メディアプレゼンテーションチャネルを前記デバイスに提示することをさらに実行する請求項２４記載の少なくとも１つのプロセッサ。
【請求項２６】
前記パッケージの前記メディアプレゼンテーションチャネルを前記デバイスに提示することは、前記デバイスに前記パッケージの前記メディアプレゼンテーションチャネルの１つを表示することを含む請求項２５記載の少なくとも１つのプロセッサ。
【請求項２７】
メディアプレゼンテーションチャネルのパッケージのパッケージ情報を受信することと、
前記パッケージの状態が、オープンパッケージを新規のサブスクライバおよび既存のサブスクライバに利用可能にするオープン状態であるか、又はクローズドパッケージを既存のサブスクライバにのみ利用可能にするクローズ状態であるかを示すパッケージサブスクリプション特徴を受信し、
前記パッケージサブスクリプション特徴が、前記パッケージの状態が前記オープン状態であることを示す場合にのみ、前記メディアプレゼンテーションチャネルのパッケージにサブスクライブする要求を許可する処理をコンピュータに実行させるプログラム。
【請求項２８】
前記メディアプレゼンテーションチャネルのパッケージを前記コンピュータに提示するパーミッションを受信することをさらに含み、前記メディアプレゼンテーションチャネルのパッケージを提示するパーミッションは、前記パッケージサブスクリプション特徴と異なるものとする請求項２７記載のプログラム。
【請求項２９】
前記パッケージサブスクリプション特徴が、前記パッケージの状態が前記クローズド状態であることを示す場合に、
前記デバイスに記憶された情報が前記メディアプレゼンテーションチャネルのパッケージを提示するパーミッションに対応する場合にのみ前記メディアプレゼンテーションチャネルを前記デバイスに提示する処理をさらに前記コンピュータに実行させる請求項２８記載のプログラム。
【請求項３０】
前記パッケージサブスクリプション特徴が、前記パッケージの状態が前記オープン状態であることを示す場合に、
前記デバイスに記憶された情報が前記メディアプレゼンテーションチャネルのパッケージを提示するパーミッションに対応する場合に、前記パケットの前記メディアプレゼンテーションチャネルを前記デバイスに提示する処理と、
前記デバイスが前記メディアプレゼンテーションのパッケージへのサブスクリプションを要求する又は受信する場合に、前記パッケージの前記メディアプレゼンテーションチャネルを前記デバイスに提示する処理をさらに前記コンピュータに実行させる請求項２９記載のプログラム。
【請求項３１】
前記パッケージの前記メディアプレゼンテーションチャネルを前記デバイスに提示することは、前記デバイスに前記パッケージの前記メディアプレゼンテーションチャネルの１つを表示することを含む請求項３０記載の方法。
【請求項３２】
メディアプレゼンテーションのパッケージにアクセスするための装置であって、
メディアプレゼンテーションチャネルのパッケージのパッケージ情報を受信する手段と、
前記パッケージの状態が、オープンパッケージを新規のサブスクライバおよび既存のサブスクライバに利用可能にするオープン状態であるか、又はクローズドパッケージを既存のサブスクライバにのみ利用可能にするクローズ状態であるかを示すパッケージサブスクリプション特徴を受信する手段と、
前記パッケージサブスクリプション特徴が、前記パッケージの状態が前記オープン状態であることを示す場合にのみ、前記メディアプレゼンテーションチャネルのパッケージにサブスクライブする要求を許可する手段を備える装置。
【請求項３３】
前記メディアプレゼンテーションのパッケージを提示するパーミッションを受信する手段をさらに備え、前記メディアプレゼンテーションチャネルのパッケージを提示するパーミッションは、前記パッケージサブスクリプション特徴と異なるものとする請求項３２記載の装置。
【請求項３４】
前記パッケージサブスクリプション特徴が、前記パッケージの状態が前記クローズド状態であることを示す場合に、
メモリに記憶された情報が前記メディアプレゼンテーションチャネルのパッケージを提示するパーミッションに対応する場合にのみ前記メディアプレゼンテーションチャネルを前記デバイスに提示する手段をさらに備える請求項３３記載の装置。
【請求項３５】
前記パッケージサブスクリプション特徴が、前記パッケージの状態が前記オープン状態であることを示す場合に、
前記メモリに記憶された情報が前記メディアプレゼンテーションチャネルのパッケージを提示するパーミッションに対応する場合に、前記パケットの前記メディアプレゼンテーションチャネルを前記デバイスに提示する手段と
前記デバイスが前記メディアプレゼンテーションのパッケージへのサブスクリプションを要求する又は受信する場合に、前記パッケージの前記メディアプレゼンテーションチャネルを前記デバイスに提示する手段と
をさらに備える請求項３４記載の装置。
【請求項３６】
前記パッケージの前記メディアプレゼンテーションチャネルを前記デバイスに提示する手段は、前記デバイスに前記パッケージの前記メディアプレゼンテーションチャネルの１つを表示する手段を備える請求項３５記載の装置。